(57)【要約】  【課題】フロアパネルの中空部内に空調エアを供給するためのインジェクタを，取付ブラケットを利用してフロアパネルにしっかり取付けるようにしつつ，フロアパネルに対するインジェクタおよび取付ブラケットの着脱を容易に行えるようにする。  【解決手段】取付ブラケット２０が，筒状本体部２１と，筒状本体部２１から上方に伸びる複数の第１係止脚部２２と，筒状本体部２１から下方に伸びる複数の第２係止脚部２３とを有する。第１係止脚部２１をフロアパネル２の取付孔２ｅに挿入した状態で，インジェクタ３０を筒状本体部２１内を通して第１係止脚部２１内に深く挿入すると，第１係止脚部２１が拡径されて上記取付孔２ｅの内周縁部に係止される一方，インジェクタ３０の後端面に第２係止脚部２３の爪部２３ａが係止される。【選択図】  図１２
2006010105.tif 000002
【特許請求の範囲】
【請求項１】
基準床面上に支承部材を介して中空部を有するフロアパネルが設置され，該フロアパネルの下面に取付けたインジェクタにより，該フロアパネルの前記中空部内に空調エアを供給するようにした二重床における冷暖房用インジェクタの取付構造において，
前記インジェクタが，取付ブラケットを介して前記フロアパネルに取付けられており，
前記取付ブラケットは，筒状本体部と，該筒状本体部から上方へ伸びると共に該筒状本体部の周方向略等間隔に形成されしかも該筒状本体部の径方向に弾性変形可能な複数の第１係止脚部と，該筒状本体部から下方へ伸びると共に該筒状本体部の周方向略等間隔に形成されしかも該筒状本体部の径方向に弾性変形可能な複数の第２係止脚部と，を有し，
前記フロアパネルの下面には，前記中空部内に開口するように，前記筒状本体部よりも小径でかつ前記複数の第１係止脚部が挿通可能な取付孔が形成され，
前記第１係止脚部を前記取付孔に挿入した状態で，前記インジェクタの先端部を該第１係止脚部内へ深く挿入したときに，該第１係止脚部がインジェクタにより径方向外方側に押圧変形されて，該第１係止脚部が該取付孔の内周縁部に係止され，
前記インジェクタを利用して前記第１係止脚部が前記取付孔の内周縁部に係止されている状態において，前記第２係止脚部がインジェクタに側方から係合されて該インジェクタが前記取付ブラケットから抜け出るのが規制されている，
ことを特徴とする二重床における冷暖房用インジェクタの取付構造。
【請求項２】
請求項１において，
前記筒状本体部の上端には，上面が平坦とされたフランジ部が形成されており，
前記複数の第１係止脚部は，該フランジ部から上方へ伸びている，
ことを特徴とする二重床における冷暖房用インジェクタの取付構造。
【請求項３】
請求項１または請求項２において，
前記各第１係止脚部の内面には，突部が形成されている，ことを特徴とする二重床における冷暖房用インジェクタの取付構造。
【請求項４】
請求項３において，
前記突部は，上方に向かうにつれて徐々に前記筒状本体部の径方向内方側に向かうようにテーパ状に形成されている，ことを特徴とする二重床における冷暖房用インジェクタの取付構造。
【請求項５】
請求項１ないし請求項４のいずれか１項において，
前記第２係止脚部の下端部には，前記筒状本体部の径方向内方側に向けて突出する爪部が形成されており，
前記インジェクタのうち下方を向いている所定端面に前記爪部が係止されることにより，該インジェクタの該筒状本体部からの抜けが規制される，
ことを特徴とする二重床における冷暖房用インジェクタの取付構造。
【請求項６】
請求項１ないし請求項５のいずれか１項において，
前記取付ブラケットは，前記複数の第２係止脚部の間において，筒状本体部から下方へ伸びる保持用脚部をさらに有しており，
前記保持用脚部は，前記第２係止脚部よりも短くされて，該第２係止脚部と共に前記インジェクタをその周囲から支承するようにされている，
ことを特徴とする二重床における冷暖房用インジェクタの取付構造。
【請求項７】
フロアパネルの下面に冷暖房用のインジェクタを取付けるための取付ブラケットであって，
筒状本体部と，
前記筒状本体部から上方へ伸びると共に該筒状本体部の周方向略等間隔に形成され，しかも該筒状本体部の径方向に弾性変形可能な複数の第１係止脚部と，
前記筒状本体部から下方へ伸びると共に該筒状本体部の周方向略等間隔に形成され，しかも該筒状本体部の径方向に弾性変形可能な複数の第２係止脚部と，
を有する，
ことを特徴とする冷暖房用インジェクタの取付ブラケット。
【請求項８】
請求項７において，
前記各第１係止脚部の内面には，突部が形成されており，
前記第２係止脚部の下端部には，前記筒状本体部の径方向内方側に向けて突出する爪部が形成されている，
ことを特徴とする冷暖房用インジェクタの取付ブラケット。
【請求項９】
請求項７または請求項８において，
前記取付ブラケットは，前記複数の第２係止脚部の間において，筒状本体部から下方へ伸びると共に該第２係止脚部よりも短くされた保持用脚部をさらに有している，
ことを特徴とする冷暖房用インジェクタの取付ブラケット。
【発明の詳細な説明】
【技術分野】
【０００１】
本発明は，二重床における冷暖房用インジェクタの取付構造およびインジェクタ取付ブラケットに関するものである。
【背景技術】
【０００２】
ビル等の室の床面は，二重床構造とされることが多くなっている。すなわち，基準床面に設置された支承部材上にフロアパネルを設置することによって，フロアパネルを基準床面から所定高さだけ高くなるように配設して，このフロアパネルと基準床面との間に各種配線等を配設する所定空間を確保することが多くなっている。
【０００３】
基準床面とフロアパネルとの間の所定空間を有効に利用して，フロアパネル上方にある室内の空調を効果的に行うことが実用化されている。すなわち，上記所定空間内に，冷暖房用の空調エアを供給して，フロアパネルからの輻射熱を利用したいわゆる床暖房あるいは床冷房を行うことが実用化されている。
【０００４】
特許文献１〜特許文献４には，上記所定空間内に空調エアを供給するものにおいて，フロアパネルが中空部を有することを利用して，さらに効果的に空調を行うことが開示されている。すなわち，フロアパネルの下面に，フロアパネルの中空部に連なるインジェクタを取付けて，このインジェクタに圧送エアを供給することにより，インジェクタ周囲にある空調エアを一種のベンチュリ効果によってインジェクタ内に吸引して，吸引した空調エアを圧送エアと共にフロアパネルの中空部内に供給して，フロアパネルそのものを空調エアの温度により近いものとなるようにすることが提案されている。そして，上記圧送エアとして，上記所定空間内の空調エア利用することも提案されている。また，フロアパネル内の中空部を介して，フロアパネルに設けた小孔から空調エアを室内に噴出させることも提案されている。
【特許文献１】特開平１０−２０５８２３号公報
【特許文献２】特開２００３−１４８７５２号公報
【特許文献３】特開２００３−２２２３５６号公報
【特許文献４】特開２００３−２４７７３３号公報
【発明の開示】
【発明が解決しようとする課題】
【０００５】
ところで，フロアパネルは，その下方に配設された配線類等の保守，点検等のために，かなり頻繁にその取外し，取付けの作業が行われることが多いものである。この場合，フロアパネルにインジェクタが取付けられたままだと，取外されたフロアパネル同士を積み重ねておくことが困難であり，またインジェクタに連なる圧送エア供給用のチューブが室内に数多く露出して，保守点検等の作業を行う上で邪魔となる。
【０００６】
上述のような観点から，インジェクタを，細長い金属板を加工してなる取付ブラケットを利用してフロアパネルに取付けるようにすることが考えられる。すなわち，細長い金属板からなる取付ブラケットの一端部をフロアパネルの下面にねじ止めして，この取付ブラケットの他端部を曲げ加工してインジェクタの基端面を押さえる抜け止め部として構成するものが考えられる。しかしながら，この場合は，取付ブラケットによるインジェクタへの抜け止めが，インジェクタの周方向一部でのみ行われるためにしっかりとした取付けを確保するのは難しいものとなる。このため，取付ブラケットを，インジェクタの周方向に間隔をあけて複数設けることも考えられるが，この場合は，１つのインジェクタに対して複数の取付ブラケットを必要としてしまう。以上に加えて，取付ブラケットのフロアパネルに対する取付時にはねじ止めする作業が必要となり，また取付ブラケットをフロアパネルから取外す時にはねじを緩める作業が必要となり，非常に面倒となる。
【０００７】
本発明は以上のような事情を勘案してなされたもので，その第１の目的は，取付ブラケットを利用してインジェクタをフロアパネルに対してしっかりと取付けられるようにしつつ，フロアパネルに対するインジェクタおよび取付ブラケットの着脱を容易に行えるようにした二重床における冷暖房用インジェクタの取付構造を提供することにある。
本発明の第２の目的は，上記第１の目的を達成するために用いて好適な冷暖房用インジェクタの取付ブラケットを提供することにある。
【課題を解決するための手段】
【０００８】
前記第１の目的を達成するため，本発明にあっては次のような解決手法を採択してある。すなわち，特許請求の範囲における請求項１に記載のように，
基準床面上に支承部材を介して中空部を有するフロアパネルが設置され，該フロアパネルの下面に取付けたインジェクタにより，該フロアパネルの前記中空部内に空調エアを供給するようにした二重床における冷暖房用インジェクタの取付構造において，
前記インジェクタが，取付ブラケットを介して前記フロアパネルに取付けられており，
前記取付ブラケットは，筒状本体部と，該筒状本体部から上方へ伸びると共に該筒状本体部の周方向略等間隔に形成されしかも該筒状本体部の径方向に弾性変形可能な複数の第１係止脚部と，該筒状本体部から下方へ伸びると共に該筒状本体部の周方向略等間隔に形成されしかも該筒状本体部の径方向に弾性変形可能な複数の第２係止脚部と，を有し，
前記フロアパネルの下面には，前記中空部内に開口するように，前記筒状本体部よりも小径でかつ前記複数の第１係止脚部が挿通可能な取付孔が形成され，
前記第１係止脚部を前記取付孔に挿入した状態で，前記インジェクタの先端部を該第１係止脚部内へ深く挿入したときに，該第１係止脚部がインジェクタにより径方向外方側に押圧変形されて，該第１係止脚部が該取付孔の内周縁部に係止され，
前記インジェクタを利用して前記第１係止脚部が前記取付孔の内周縁部に係止されている状態において，前記第２係止脚部がインジェクタに側方から係合されて該インジェクタが前記取付ブラケットから抜け出るのが規制されている，
ようにしてある。
【０００９】
上記解決手法によれば，インジェクタのフロアパネルへの取付の際には，取付ブラケットの第１係止脚部をフロアパネルの取付孔に挿入した状態で，筒状本体部内にインジェクタをその先端部側から挿入していけばよい。インジェクタの挿入が深くなると，インジェクタの先端部によって，第１係止脚部が拡径変形されて取付孔の内周縁部に係止され，これにより取付ブラケットのフロアパネルへの取付けがしっかりと行われることになる。この取付ブラケットのフロアパネルへの取付状態つまり係止状態において，インジェクタは，取付ブラケットの第２係止脚部によって，筒状本体部からの抜けが規制されることになる。つまり，インジェクタは，取付ブラケットを介してフロアパネルにしっかりと取付けられることになる。
フロアパネルからインジェクタを取外すには，第２係止脚部を拡径変形させてインジェクタに対する係合状態を解除した状態で，インジェクタを引き抜くだけてよい。これによりインジェクタがフロアパネルから取外されるが，インジェクタの取外しに伴って，取付ブラケットの第１係止脚部はフロアパネルの取付孔への係止作用が自動的に解除されるので，取付ブラケットそのものもフロアパネルから容易に取外すことができる。
【００１０】
上記解決手法を前提とした好ましい態様は，特許請求の範囲における請求項２〜請求項６に記載のとおりである。すなわち，
前記筒状本体部の上端には，上面が平坦とされたフランジ部が形成されており，
前記複数の第１係止脚部は，該フランジ部から上方へ伸びている，
ようにすることができる（請求項２対応）。この場合，フランジ部によって，取付ブラケットのフロアパネル下面への安定した接触状態（着座状態）を確保することができる。また，フランジ部によってフロアパネルの取付孔をより確実に塞ぐ上でも好ましいものとなる。
【００１１】
前記各第１係止脚部の内面には，突部が形成されている，ようにすることができる（請求項３対応）。この場合，突部によって，インジェクタの先端部が第１係止脚部を拡径方向に押圧する作用を高めて，取付ブラケットのフロアパネルへの係止作用をより確実に行う上で好ましいものとなる。
【００１２】
前記突部は，上方に向かうにつれて徐々に前記筒状本体部の径方向内方側に向かうようにテーパ状に形成されている，ようにすることができる（請求項４対応）。この場合，インジェクタの先端部による第１係止脚部の拡径を徐々に行う上で好ましいものとなる。
【００１３】
前記第２係止脚部の下端部には，前記筒状本体部の径方向内方側に向けて突出する爪部が形成されており，
前記インジェクタのうち下方を向いている所定端面に前記爪部が係止されることにより，該インジェクタの該筒状本体部からの抜けが規制される，
ようにすることができる（請求項５対応）。この場合，爪部を利用した強固な係止作用によって，インジェクタを取付ブラケットつまりフロアパネルに対してよりしっかりと取付けることができる。
【００１４】
前記取付ブラケットは，前記複数の第２係止脚部の間において，筒状本体部から下方へ伸びる保持用脚部をさらに有しており，
前記保持用脚部は，前記第２係止脚部よりも短くされて，該第２係止脚部と共に前記インジェクタをその周囲から支承するようにされている，
ようにすることができる（請求項６対応）。この場合，取付ブラケットへのインジェクタの取付，取外しをより容易にするために第２係止脚部の数を極力少ないものとしつつ，取付ブラケットへのインジェクタの取付状態において，保持用脚部によってインジェクタをしっかりと保持しておくことができる。また，保持用脚部は第２係止脚部よりも短いので，第２係止脚部をインジェクタに対して係脱させる作業を行うときに保持用脚部が邪魔になってしまう事態を防止する上でも好ましいものとなる。
【００１５】
前記第２の目的を達成するため，本発明にあっては次のような解決手法を採択してある。すなわち，特許請求の範囲における請求項７に記載のように，
フロアパネルの下面に冷暖房用のインジェクタを取付けるための取付ブラケットであって，
筒状本体部と，
前記筒状本体部から上方へ伸びると共に該筒状本体部の周方向略等間隔に形成され，しかも該筒状本体部の径方向に弾性変形可能な複数の第１係止脚部と，
前記筒状本体部から下方へ伸びると共に該筒状本体部の周方向略等間隔に形成され，しかも該筒状本体部の径方向に弾性変形可能な複数の第２係止脚部と，
を有する，
ようにしてある。上記解決手法によれば，請求項１に記載された取付構造に用いて好適な取付ブラケットが提供される。
【００１６】
上記解決手法を前提とした好ましい態様は，特許請求の範囲における請求項８以下に記載のとおりである。すなわち，
前記各第１係止脚部の内面には，突部が形成されており，
前記第２係止脚部の下端部には，前記筒状本体部の径方向内方側に向けて突出する爪部が形成されている，
ようにすることができる（請求項８対応）。この場合，請求項３，請求項５に対応した取付構造に用いて好適な取付ブラケットが提供される。
【００１７】
前記取付ブラケットは，前記複数の第２係止脚部の間において，筒状本体部から下方へ伸びると共に該第２係止脚部よりも短くされた保持用脚部をさらに有している，ようにすることができる（請求項９対応）。この場合，請求項６に対応した取付構造に用いて好適な取付ブラケットが提供される。
【発明の効果】
【００１８】
本発明の取付構造によれば，フロアパネルへのインジェクタの取付けを取付ブラケットを利用してしっかりと行いつつ，フロアパネルに対するインジェクタおよび取付ブラケットの取付，取外しを容易に行うことができる。
また，本発明の取付ブラケットによれば，上記取付構造に用いて好適なものが提供される。
【発明を実施するための最良の形態】
【００１９】
図１において，１は基準床面であり，この基準床面１上方の所定高さ位置に，複数枚のフロアパネル２が配設されている。より具体的には，各フロアパネル２は，その角隅部において，基準床面１上に設置された支承部材３（におけるパネル受け３ａ）に支承されている。実施形態では，フロアパネル２上にカーペット６が敷設されている。基準床面１とフロアパネル２との間の空間が所定空間４とされて，この所定空間４内に，各種の配線類等（図示を略す）が配設されると共に，空調エアが供給される。なお，所定空間４に空調エアを供給するための空調装置は図示を略す。
【００２０】
フロアパネル２は，アッパパネル２ａとロアパネル２ｂとによって，中空部２ｃを有する構造とされている。実施形態では，ロアパネル２ｂに，上方に向けて略半球状に膨出された突起部２ｄを多数形成して，この各突起部２ｄの間の部分が中空部２ｃとされている。
【００２１】
各フロアパネル２には，図２に分解して示すように，取付ブラケット２０を介して，インジェクタ３０が取付けられている（図１では，取付ブラケット２０とインジェクタ３０とは１つのみが示される）。インジェクタ３０は，その先端部（上端部）がフロアパネル２の中空部２ｃ内に開口すると共に，その基端部（下端部）が所定空間４内に開口するように取付けられており，このインジェクタ３０を利用して，所定空間４内の空調エアが中空部２ｃ内に供給される。すなわち，後述するように，インジェクタ３０の基端部に接続された圧送エアの供給チューブ５から圧送エアが供給されると，インジェクタ３０はそのベンチュリ効果によってインジェクタ３０周囲にある空調エアを吸引して，吸引された空調エアが圧送エアと混合された状態で，中空部２ｃ内に噴射されることになる。なお，供給チューブ５からインジェクタ３０に供給される圧送エアは，外気，フロアパネル２上方にある室内のエア，あるいは所定空間４内の空調エアのいずれでもよいが，空調効率向上の観点等から，室内のエア特に好ましくは所定空間４内の空調エアとするのが好ましい。なお，圧送エアを供給するためのエア供給装置については図示を略す。
【００２２】
次に，インジェクタ３０の一例について，図２，図３を参照しつつ説明する。インジェクタ３０は，１次流入管３１と，２次流入管３２とを有する。１次流入管３１は，その基端部（下端部）に前述した供給チューブ５が接続されるものであり，この供給チューブ５の接続部分が若干大径とされている以外はその全長に渡って同径の直線状とされている。
【００２３】
２次流入管３２は，１次流入管３１を取り巻くようにかつ１次流入管３１と同心状に配設されている。２次流入管３２は，その先端部（上端部）が小径部３２ａとされ，その基端部が小径部３２ａよりも十分に大径とされた大径部３２ｂとされ，中間部分が小径部３２ａと大径部３２ｂとを連結する連結部３２ｃとされている。小径部３２ａは，先端に向かうにつれて徐々に小径となるように設定されている。大径部３２ｂはその全長に渡ってほぼ同径に設定されているが，その長さは小径部３２ａに比して短くされている。連結部３１ｃは，大径部３２ｂから小径部３２ａに向けて徐々に小径となるように設定されている。
【００２４】
１次流入管３１の先端（上端）は，２次流入管３２の小径部３２ａと連結部３２ｃとの境界付近に位置されている。また，１次流入管３１の基端部は，２次流入管３２から外部へ突出されて，この突出端部に供給チューブ５が接続されるようになっている。そして，２次流入管３２の基端側は外部への開口部３２ｄとされて，所定空間４内と連通されるようになっている。
【００２５】
１次流入管３１と２次流入管３２とは，スペーサ部材３３によって互いに一体となるように連結されている。このスペーサ部材３３は，２次流入管３２の大径部３２ｂ内に位置されて，その周方向略等間隔に，複数の貫通孔３３ａが形成されている。
【００２６】
いま，１次流入管３１の基端部から圧送エアが供給されると（圧送エアの流れを符号αで示す），２次流入管３２内のうちの小径部３１ａの基端部付近は負圧となり，これにより，ベンチュリ効果によって，２次流入管３２の周囲にあるエアつまり所定空間４内の空調エアが，開口部３２ｄから貫通孔３３ａを通って，２次流入管３２内へと吸引される（空調エアの流れを符号βで示す）。吸引された空調エアは，１次流入管３１からの圧送エアと混合され，この圧送エアと空調エアとが混合された混合エアが，２次流入管部３２（における小径部３２ａ）の先端（つまりインジェクタ３０の先端）から噴射されることになる。上記混合エアの流れを符号γで示す。
【００２７】
次に，図２，図４〜図８を参照しつつ，取付ブラケット２０について説明するが，実施形態では，取付ブラケット２０は全体的に合成樹脂による一体成形品とされている（例えば射出成形）。取付ブラケット２０は，その上下方向（長手方向，軸線方向）中間部において，円筒状の筒状本体部２１を有する。筒状本体部２１の上端は，大径のフランジ部２１ａとされ，このフランジ部２１ａの上面は平坦面とされている。
【００２８】
筒状本体部２１の上端，より具体的にはフランジ部２１ａの上面からは，第１係止脚部２２が上方に向けて突出されている。第１係止脚部２２は，筒状本体部２１の周方向略等間隔に複数（実施形態では９０度間隔で４個）設けられている。各第１係止脚部２２は，筒状本体部２１の径方向に弾性変形可能である。このような各第１係止脚部２２の内面には，突部２２ａが設けられている。この突部２２ａは，実施形態では，先端（上方）に向かうにつれて徐々に筒状本体部２１の径方向内方側に向かうテーパ状の傾斜面として形成されている。筒状本体部２１の軸線方向から見たとき，各第１係止脚部２２の形状は筒状本体部２１の軸線を中心とする円弧状に形成されていて，複数の第１係止脚部２２の外周面同士を結んでなる仮想形状は，円を描くようにされて，筒状本体部２１の外径よりは十分小さく設定されている。
【００２９】
筒状本体部２１の下端からは，その周方向略等間隔に，複数の第２係止脚部２３が下方に向けて突出されている（実施形態では１８０度間隔で２個）。各第２係止脚部２３は，筒状本体部２１の径方向に弾性変形可能である。各第２係止脚部２３の先端部（下端部）内面には，筒状本体部２１の径方向内方側に向けて突出する爪部２３ａが形成されている。
【００３０】
筒状本体部２１の下端からは，さらに，その周方向略等間隔に，複数の保持用脚部２４が下方に向けて突出されている（実施形態では１８０度間隔で２個）。各保持用脚部２４は，第２係止脚部２３の間に位置するように位置設定されている。保持用脚部２４は，第２係止脚部２３よりも短くされて，その下端は，第２係止脚部２３の爪部２３ａには達しない長さとされている。筒状本体部２１の軸方向から見たとき，第２係止脚部２３および保持用脚部２４の形状は筒状本体部２１の軸線を中心とする円弧状に形成されていて，保持用脚部２４と第２係止脚部２３の外周面同士を結んでなる仮想形状は，円を描くようにされて，実施形態では筒状本体部２１の外径と同一の外径を有するように設定されている。また，筒状本体部２１の軸方向から見たとき，保持用脚部２４と第２係止脚部２３の内周面同士を結んでなる仮想形状も円を描くようにされており，実施形態では，インジェクタ３０における大径部３２ｂの外径とほぼ同一の内径を有するように設定されている。
【００３１】
次に，図９〜図１２を参照しつつ，取付ブラケット２０を利用してインジェクタ３０をフロアパネル２に取付ける手順および取外す手順について説明する。まず，フロアパネル２のロアパネル２ｂには，取付孔２ｅが形成されている（特に図９参照）。この取付孔２ｅの内径は，取付ブラケット２０の第１係止脚部２２がスムーズに挿通できる大きさとされているが，取付ブラケット２０のフランジ部２１ａはもとより，筒状本体部２１の外径よりは十分小さく設定されている。なお，フロアパネル２に対する取付ブラケット２０を利用したインジェクタ３０の取付けや取外しの作業は，フロアパネル２の下面（ロアパネル２ｂ側）を室内に露出させた状態で行われる。
【００３２】
以上のことを前提として，図９に示すように，フロアパネル２の取付孔２ｅに対して，取付ブラケット２０をその第１係止脚部２２側から接近させて，第１係止脚部２２を取付孔２ｅ内に挿通させる。フランジ部２１ａがフロアパネル２下面に当接する位置まで第１係止脚部２２が取付孔２ｅに挿通された状態が，図１０の状態である。
【００３３】
図１０の状態から，取付ブラケット２０内に，インジェクタ３０を下方から挿通させていく（図１０参照）。インジェクタ３０の先端部となる小径部３２ａが，取付ブラケット２０の第１係止脚部２２内に挿通されていくと，やがて，小径部３２ａが第１係止脚部２２の突部２２ａを押圧し始める直前の位置となり，この状態が図１１に示される。図１１の状態から，さらにインジェクタ３０を取付ブラケット２０に対して深く挿通させていくと，インジェクタ３０の小径部３２ａが，第１係止脚部２２の突部２２ａを押圧して，第１係止脚部２２が径方向外方側に拡径される。そして，インジェクタ３０を所定深さまで十分に取付ブラケット２０内に挿通させた図１２の状態では，第１係止脚部２２（の特に先端部側）が，筒状本体部２１の径方向外方側に大きく弾性変形されて，第１係止脚部２２がフロアパネル２の取付孔２ｅの内周縁部に係止されることになる。つまり，取付ブラケット２０がフロアパネル２に対してしっかりと取付けられた状態となる。
【００３４】
取付ブラケット２０が，インジェクタ３０を利用してフロアパネル２に係止された（取付けられた）図１２の状態では，取付ブラケット２０における第２係止脚部２３の爪部２３ａが，インジェクタ３０の下方に向かう端面（図３における２次流入管３２の下端面）に係止される。これにより，インジェクタ３０が取付ブラケット２０に係止されて，その抜け止めが行われることになる。図１２の取付状態において，インジェクタ３０（の大径部３２ｂ）は，第２係止脚部２３によって，また保持用脚部２４によってその周囲からしっかりと径方向外方側から支承されて，取付ブラケット２０に対して傾く等のことなくしっかりと保持されることになる。
【００３５】
図１２の状態から，インジェクタ３０をフロアパネル２から取外すには，次のような手順で行えばよい。すなわち，第２係止脚部２３を径方向外方側に弾性変形させて，その爪部２３ａをインジェクタ３０から係合解除させつつ，インジェクタ３０を取付ブラケット２０から引き抜けばよい。インジェクタ３０を取付ブラケット２０から引き抜くことにより，第１係止脚部２２による係止作用も解除されるので，取付ブラケット２０もフロアパネル２から簡単に取外せることになる。
【００３６】
実際の取付作業においては，図１１に示すようなインジェクタ３０を取付ブラケット２０内にあらかじめ浅く挿入したセット体を構成して，片手でこのセット体を把持しつつ，取付ブラケット２０の第２係止脚部２３を取付孔２ｅに挿入させ，この挿入完了後に，インジェクタ３０を深く押し込めばよく（片手での取付作業が可能），取付作業が容易である。実際の取外し作業においても，第２係止脚部２３の爪部２３ａの取付ブラケット２０への係合を解除した図１１の状態以後は，片手でもって取付ブラケット２０をインジェクタ３０と共に引き抜けばよく，取外し作業も容易である。
【００３７】
以上実施形態について説明したが，本発明は，実施形態に限定されるものではなく，特許請求の範囲の記載された範囲において適宜の変更が可能であり，例えば次のような場合をも含むものである。筒状本体部２１の上端にフランジ部２１ａを構成することは必ずしも必要としない。第１係止脚部２２の数は，２以上であれば適宜の数に設定することができる。また，第２係止脚部２３の内面に形成する突部２２ａは，テーパ状の傾斜面とする場合に限らず，例えば半球状の突起として形成する等，適宜の形状に設定することができる。
【００３８】
第２係止脚部２３の数は，３以上であってもよく，また，保持用脚部２４は必ずしも必要としないものである。特に，第２係止脚部２３の数を３個あるいは４個以上というように多くした場合は，第２係止脚部２３そのものでもってインジェクタ３０をその周囲からしっかりと保持できるので，保持用脚部２４を設ける必要がなくなる。所定空間４に空調エアを供給することなく，インジェクタ３０（供給チューブ５）から空調エアのみをフロアパネル２の中空部２ｃ内に供給するようにしてもよい（この場合，インジェクタ３０は，ベンチュリ効果を奏することが不用になるので，その構造が簡単になる）。本発明の目的は，明記されたものに限らず，実質的に好ましいあるいは利点として表現されたものを提供することをも暗黙的に含むものであり，また，取付ブラケット２０とインジェクタ３０とのセット体を提供するものであることをも暗黙的に含むものである。
【図面の簡単な説明】
【００３９】
【図１】本発明の一実施形態を示す全体側面断面図。
【図２】取付ブラケットとインジェクタと圧送エア供給チューブとの分解斜視図。
【図３】インジェクタの一例を詳細に示す側面断面図。
【図４】取付ブラケットの一例を示す側面図。
【図５】図４を下方から見た下面図。
【図６】図４を上方から見た上面図。
【図７】図５Ｘ７−Ｘ７線相当断面図。
【図８】図５Ｘ８−Ｘ８線相当断面図。
【図９】インジェクタを取付ブラケットを利用してフロアパネルの取付孔に取付ける手順を示す図。
【図１０】インジェクタを取付ブラケットを利用してフロアパネルの取付孔に取付ける手順を示す図。
【図１１】インジェクタを取付ブラケットを利用してフロアパネルの取付孔に取付ける手順を示す図。
【図１２】インジェクタを取付ブラケットを利用してフロアパネルの取付孔に取付ける手順を示す図。
【符号の説明】
【００４０】
１：基準床面
２：フロアパネル
２ａ：アッパパネル
２ｂ：ロアパネル
２ｃ：中空部（圧送エアを利用して空調エアが供給）
２ｄ：突起部
２ｅ：取付孔
３：支承部材
４：所定空間（空調エアが供給）
５：圧送エアの供給チューブ
２０：取付ブラケット
２１：筒状本体部
２１ａ：フランジ部
２２：第１係止脚部
２２ａ：突部
２３：第２係止脚部
２３ａ：爪部
２４：保持用脚部
３０：インジェクタ
３１：一次流入管
３２：２次流入管
３２ａ：小径部（先端部）
３２ｂ：大径部
３２ｃ：連結部
３２ｄ：開口（空調エアの吸引口）
３３：スペーサ部材
３３ａ：貫通孔
【図１】
2006010105.tif 000003
【図２】
2006010105.tif 000004
【図３】
2006010105.tif 000005
【図４】
2006010105.tif 000006
【図５】
2006010105.tif 000007
【図６】
2006010105.tif 000008
【図７】
2006010105.tif 000009
【図８】
2006010105.tif 000010
【図９】
2006010105.tif 000011
【図１０】
2006010105.tif 000012
【図１１】
2006010105.tif 000013
【図１２】
2006010105.tif 000014